(57)【要約】【課題】迅速に着用させることを可能とした吸収性物品を提供することを目的とする。【解決手段】前身頃１０Ｆおよび後身頃１０Ｒがテープ部材２０によって結合されるおむつ１０であって、テープ部材２０は、後身頃１０Ｒのサイドフラップ１１にテープ部材２０が設けられ、延出部２２と、ファスニング部２３とを備え、延出部２２に対してファスニング部２３が横方向折り返され摘み部２５が構成され、さらに、延出部２２は、サイドフラップ１１の自由端部１１Ａに沿って横方向内側に折り返されており、後身頃１０Ｒのサイドフラップ１１は、つづら折りによって折り畳まれ、摘み部２５の先端部がサイドフラップ１１の横方向の内側に位置する第１折り目２７よりさらに横方向の内側に向けて延出している。【選択図】図９
2018051140.tif 000002
【特許請求の範囲】
【請求項１】
前身頃と、後身頃と、前記前身頃と前記後身頃とを繋ぐ股下部とを備え、前記前身頃および前記後身頃における胴回り構成部の胴回り方向となる横方向の両端部がテープ部材によって結合される吸収性物品であって、
前記胴回り構成部における前記横方向の両端部を構成し、前記横方向の先端部を自由端部としたサイドフラップと、前記前身頃および前記後身頃のうちの何れか一方の身頃において、前記自由端部から前記横方向外側に向けて延出する前記テープ部材とを備え、
前記テープ部材は、前記自由端部から延出した延出部と、前記延出部の先端部に位置し一方の面をファスニング面としたファスニング部と、前記ファスニング面が前記延出部を向くように前記延出部に対して折り返され仮止めされて構成される摘み部とを備え、
前記延出部が前記横方向に対して直交する縦方向に沿ったテープ折り目に沿って、前記横方向内側に折り返されて前記サイドフラップに対して仮止めされており、
前記サイドフラップは、前記縦方向に沿った複数の折り目を付けてつづら折りをして、前記延出部を前記自由端部から前記横方向内側に向けて延在させ、かつ、前記摘み部を前記サイドフラップの前記横方向内側に位置する折り目よりさらに前記横方向内側に向けて突出させた吸収性物品。
【請求項２】
前記サイドフラップは、前記つづら折りによって、
前記縦方向に沿い、前記自由端部に最も近い第１折り目と、
前記縦方向に沿い、前記第１折り目よりも前記自由端部から離れた第２折り目と、
前記自由端部と前記第１折り目との間に位置する第１折返部と、
前記第１折り目と前記第２折り目との間に位置する第２折返部とを備え、
前記第２折返部が前記第２折り目に沿って前記吸収性物品の肌と接する表面の上に重なるように前記横方向の内側に向けて折り返されており、
前記第１折返部が前記第１折り目に沿って前記第２折返部の上に重なるように前記横方向の外側に向けて折り返されており、
前記延出部が前記自由端部から前記横方向の内側に向けて延在し、前記摘み部が前記第２折り目より前記横方向の内側に向けて突出されている
請求項１に記載の吸収性物品。
【請求項３】
前記延出部は、前記自由端部に沿う根元において、前記サイドフラップに対して仮止めされている
請求項２に記載の吸収性物品。
【請求項４】
前記第２折返部は、前記表面に対して仮止めされていない
請求項３に記載の吸収性物品。
【請求項５】
前記第１折返部は、前記第２折返部に対して仮止めされていない
請求項３または４に記載の吸収性物品。
【請求項６】
前記前身頃、前記後身頃、および、前記股下部に亘って、前記縦方向に延在する吸収性本体を備え、
前記吸収性本体は、吸収体を含み、
前記第２折返部には、前記吸収体の前記横方向における両端部が配置され、
前記サイドフラップは、前記第２折り目において、前記吸収体を含め折り返されている
請求項２ないし５のうち何れか１項に記載の吸収性物品。
【請求項７】
前記摘み部は、他の領域と識別可能な構成とされている
請求項１ないし６のうち何れか１項に記載の吸収性物品。
【請求項８】
前身頃と、後身頃と、前記前身頃と前記後身頃とを繋ぐ股下部とを備え、前記前身頃および前記後身頃における胴回り構成部の胴回り方向となる横方向の両端部がテープ部材によって結合される吸収性物品の製造方法であって、
前記吸収性物品は、前記胴回り構成部における前記横方向の両端部を構成し、前記横方向の先端部を自由端部としたサイドフラップと、
前記前身頃および前記後身頃のうちの何れか一方の身頃において、前記自由端部から前記横方向外側に向けて延出する前記テープ部材とを備えており、
前記テープ部材は、前記自由端部から延出した延出部と、前記延出部の先端部に位置し一方の面をファスニング面としたファスニング部とを備え、
前記製造方法は、
前記サイドフラップを構成する部分に前記テープ部材の基端が固定された搬送シートを搬送し、前記テープ部材は、前記ファスニング面が前記延出部を向くように前記ファスニング部が前記延出部に対して折り返され仮止めされて摘み部が構成された状態で固定されており、
前記延出部が前記横方向内側に折り返されて前記サイドフラップを構成する部分に対して仮止めされ、
前記製造方法は、さらに、前記サイドフラップを構成する部分をつづら折りし、
前記延出部を前記自由端部から前記横方向内側に向けて延在させ、前記摘み部の先端部を前記搬送シートの前記横方向内側に位置する折り目よりさらに前記横方向内側に向けて突出させ、
前記搬送シートを、１つ分の前記吸収性物品に切断する
吸収性物品の製造方法。
【発明の詳細な説明】
【技術分野】
【０００１】
本発明は、前身頃の胴回り方向の両端部と後身頃の胴回り方向の両端部とをテープ部材で結合する吸収性物品および吸収性物品の製造方法に関する。
【背景技術】
【０００２】
吸収性物品としての使い捨ておむつの中には、幼児用や成人用のテープ型のおむつがある。テープ型のおむつは、前身頃と、後身頃と、前身頃と後身頃とを繋ぐ股下部とを備え、後身頃の胴回り方向の両端部に配置されたテープ部材が前身頃に締結される。これにより、テープ型おむつは、着用者の胴回りを覆う胴回り部と、着用者の太股部分を取り囲む一対の脚開口部とが構成される。おむつを使用するときには、折り畳まれているテープ型おむつを展開状態として、後身頃を着用者の臀部の下側に敷き、着用者の股下を通して前身頃を着用者の腹部に位置させる。その後、テープ部材の先端部が前身頃に締結される（特許文献１参照）。
【先行技術文献】
【特許文献】
【０００３】
【特許文献１】特許第４０２４７８２号公報
【発明の概要】
【発明が解決しようとする課題】
【０００４】
テープ型のおむつは、着用者に着用させるとき、臀部の下に後身頃を敷く必要があり、この着用作業には、着用者の臀部を持ち上げる作業が含まれる。これに伴い、作業者に対する負担を少なくするためにも、着用者への着用作業は、迅速に行うことができるようにする必要がある。
【０００５】
特に、成人用おむつは、幼児用おむつに比べ大型であり、これに合わせて、成人用おむつのテープ部材は、幼児用おむつのテープ部材と比べても長いものとなる。このため、成人用おむつのテープ部材は、幼児用おむつのテープ部材と比べても多く折り曲げて、畳まれた状態とされる。着用者におむつを着用させる際には、折り畳まれたテープ部材を展開する作業が必要となり、その分、着用者に吸収性物品を着用させるための作業時間も長くなってしまう。
【０００６】
本発明は、着用者に着用させるための作業時間を短縮することを可能とした吸収性物品および吸収性物品の製造方法を提供することを目的とする。
【課題を解決するための手段】
【０００７】
上記課題を解決するための吸収性物品は、前身頃と、後身頃と、前記前身頃と前記後身頃とを繋ぐ股下部とを備え、前記前身頃および前記後身頃における胴回り構成部の胴回り方向となる横方向の両端部がテープ部材によって結合される吸収性物品であって、前記胴回り構成部における前記横方向の両端部を構成し、前記横方向の先端部を自由端部としたサイドフラップと、前記前身頃および前記後身頃のうちの何れか一方の身頃において、前記自由端部から前記横方向外側に向けて延出する前記テープ部材とを備える。前記テープ部材は、前記自由端部から延出した延出部と、前記延出部の先端部に位置し一方の面をファスニング面としたファスニング部と、前記ファスニング面が前記延出部を向くように前記延出部に対して折り返され仮止めされて構成される摘み部とを備え、前記延出部が前記横方向に対して直交する縦方向に沿ったテープ折り目に沿って、前記横方向内側に折り返されて前記サイドフラップに対して仮止めされている。前記サイドフラップは、前記縦方向に沿った複数の折り目を付けてつづら折りをして、前記延出部を前記自由端部から前記横方向内側に向けて延在させ、かつ、前記摘み部を前記サイドフラップの前記横方向内側に位置する折り目よりさらに前記横方向内側に向けて突出させている。
【０００８】
上記構成によれば、サイドフラップがつづら折りされることによって、摘み部が吸収性物品の肌と接する表面から離間する。したがって、摘み部は、指で摘みやすい状態となる。これにより、サイドフラップおよびテープ部材を展開する作業を行いやすくなり、その分、着用者に吸収性物品を着用させるための作業時間を短縮することができる。
【０００９】
上記吸収性物品において、前記サイドフラップは、前記つづら折りによって、前記縦方向に沿い、前記自由端部に最も近い第１折り目と、前記縦方向に沿い、前記第１折り目よりも前記自由端部から離れた第２折り目と、前記自由端部と前記第１折り目との間に位置する第１折返部と、前記第１折り目と前記第２折り目との間に位置する第２折返部とを備える構成としてもよい。そして、前記第２折返部が前記第２折り目に沿って前記吸収性物品の肌と接する表面の上に重なるように前記横方向の内側に向けて折り返されており、前記第１折返部が前記第１折り目に沿って前記第２折返部の上に重なるように前記横方向の外側に向けて折り返されている構成としてもよい。そして、前記延出部が前記自由端部から前記横方向の内側に向けて延在し、前記摘み部が前記第２折り目より前記横方向の内側に向けて突出されている構成としてもよい。
【００１０】
上記構成によれば、摘み部は、第２折り目より横方向の内側に向けて突出し、かつ、その下に、折り畳まれたサイドフラップの第１折返部と第２折返部とが存在することによって、吸収性物品の肌と接する表面から離間する。したがって、摘み部は、指で摘みやすい状態となる。
【００１１】
上記吸収性物品において、前記延出部は、前記自由端部に沿う根元において、前記サイドフラップに対して仮止めされている構成としてもよい。
上記構成によれば、製造ラインにおいて、サイドフラップに対してテープ部材がばたつくことを抑制でき、これにより、歩留まりを減らしつつ、生産効率を向上することができる。
【００１２】
上記吸収性物品において、前記第２折返部は、前記表面に対して仮止めされていない構成としてもよい。
上記構成によれば、サイドフラップの展開作業を行うときの力が小さくすることができる。
【００１３】
上記吸収性物品において、前記第１折返部は、前記第２折返部に対して仮止めされていない構成としてもよい。
上記構成によれば、サイドフラップの展開作業を行うときの力が小さくすることができる。
【００１４】
上記吸収性物品において、前記前身頃、前記後身頃、および、前記股下部に亘って、前記縦方向に延在する吸収性本体を備え、前記吸収性本体は、吸収体を含み、前記第２折返部には、前記吸収体の前記横方向における両端部が配置され、前記サイドフラップは、前記第２折り目において、前記吸収体を含め折り返されている構成としてもよい。
上記構成によれば、吸収体の横方向を、折り畳むことで、吸収性物品を小さく折り畳むことができる。
【００１５】
上記吸収性物品において、前記摘み部は、他の領域と識別可能な構成としてもよい。
上記構成によれば、摘み部は、他の領域と色や肌触りを変える等して識別可能な構成とすることで、作業者から容易に識別することができる。
【００１６】
上記課題を解決するための吸収性物品の製造方法は、前身頃と、後身頃と、前記前身頃と前記後身頃とを繋ぐ股下部とを備え、前記前身頃および前記後身頃における胴回り構成部の胴回り方向となる横方向の両端部がテープ部材によって結合される吸収性物品の製造方法である。ここでの前記吸収性物品は、前記胴回り構成部における前記横方向の両端部を構成し、前記横方向の先端部を自由端部としたサイドフラップと、前記前身頃および前記後身頃のうちの何れか一方の身頃において、前記自由端部から前記横方向外側に向けて延出する前記テープ部材とを備えている。前記テープ部材は、前記自由端部から延出した延出部と、前記延出部の先端部に位置し一方の面をファスニング面としたファスニング部とを備えている。そして、前記製造方法は、前記サイドフラップを構成する部分に前記テープ部材の基端が固定された搬送シートを搬送し、前記テープ部材は、前記ファスニング面が前記延出部を向くように前記ファスニング部が前記延出部に対して折り返され仮止めされて摘み部が構成された状態で固定されており、前記延出部が前記横方向内側に折り返されて前記サイドフラップを構成する部分に対して仮止めされる。前記製造方法は、さらに、前記サイドフラップを構成する部分をつづら折りし、前記延出部を前記自由端部から前記横方向内側に向けて延在させ、前記摘み部の先端部を前記搬送シートの前記横方向内側に位置する折り目よりさらに前記横方向内側に向けて突出させ、前記搬送シートを、１つ分の前記吸収性物品に切断する。
【００１７】
上記構成によれば、一連の工程で、サイドフラップを構成する部分をつづら折りし、摘み部の先端部を搬送シートの横方向内側に位置する折り目よりさらに横方向内側に向けて突出させることができる。これにより、生産効率の向上を図ることができる。
【発明の効果】
【００１８】
本発明によれば、迅速に着用させることを可能とした吸収性物品を提供することを可能とした。
【図面の簡単な説明】
【００１９】
【図１】本発明の吸収性物品を具体化したテープ型使い捨ておむつの斜視図。
【図２】テープ型使い捨ておむつの展開状態を示す平面図。
【図３】サイドフラップとテープ部材との関係を示す要部分解斜視図。
【図４】テープ部材の先端部を拡大した要部斜視図。
【図５】サイドフラップからテープ部材に亘る部分が展開された状態を示す要部断面図。
【図６】サイドフラップの自由端部で延出部の根元が折り返された状態を示す要部断面図。
【図７】サイドフラップを第１折り目と第２折り目で折り返す状態を示す要部断面図。
【図８】サイドフラップを第１折り目と第２折り目で折り返し、つづら折りによって折り畳んだ状態を示す要部断面図。
【図９】前身頃と後身頃とが展開されたおむつであって、サイドフラップおよびテープ部材が折り畳まれた状態を、トップシートの側から見た平面図。
【図１０】おむつが三つ折りされた状態を示す斜視図。
【図１１】（ａ）は、テープ部材の延出部が横方向内側に折り返されて搬送される搬送シートを示す模式図、（ｂ）は、サイドフラップが折り畳まれる搬送シートを示す模式図。
【図１２】テープ部材の変形例を示す図であり、（ａ）は、１つの固定部に対して２つの延出部とファスニング部を設けた変形例を示す要部平面図、（ｂ）は、１つの固定部および延出部に対して２つのファスニング部を設けた変形例を示す要部平面図、（ｃ）は、ミシン目で延出部とファスニング部を複数個に分断する変形例を示す要部平面図。
【発明を実施するための形態】
【００２０】
〔テープ型使い捨ておむつの説明〕
図１ないし図１２を参照して、本発明における吸収性物品を具体化した一実施形態におけるテープ型使い捨ておむつについて説明する。
図１に示すように、テープ型使い捨ておむつ１０（以下、単に「おむつ１０」という。）は、一例として、成人用おむつである。おむつ１０は、人体の腹部形状に追従する形状を有する前身頃１０Ｆと、人体の背部形状に追従する形状を有する後身頃１０Ｒと、前身頃１０Ｆおよび後身頃１０Ｒを繋ぐ股下部１０Ｃとを備えている。
【００２１】
前身頃１０Ｆにおいて股下部１０Ｃと反対側は、人体の胴回りの部分を取り囲む胴回り部１０Ｗを構成し、上端に、胴回り開口部１０Ａを備えている。また、前身頃１０Ｆにおける左右両端部、後身頃１０Ｒにおける左右両端部、および、股下部１０Ｃにおける左右両端部とは、人体の太股部分を取り囲む形状を有した左右一対の脚周り開口部１０Ｌを構成している。前身頃１０Ｆの腹側胴回りを囲む部分は、胴回り部１０Ｗを構成する前胴回り構成部１２Ｆであり、後身頃１０Ｒの背側胴回りを囲む部分は、胴回り部１０Ｗを構成する後胴回り構成部１２Ｒである。前胴回り構成部１２Ｆおよび後胴回り構成部１２Ｒの胴回り方向となる横方向の両端部は、サイドフラップ１１を備えており、後身頃１０Ｒのサイドフラップ１１には、後身頃１０Ｒと前身頃１０Ｆを連結するテープ部材２０を備えている。おむつ１０は、成人用であり、着用者の胴回り寸法には、乳幼児に比べて幅がある。サイドフラップ１１は、胴回り寸法や脚回り寸法の標準的大きさの着用者だけでなく、胴回り寸法が標準より大きい着用者、および、胴回り寸法が標準より小さい着用者、ならびに、脚回り寸法が標準より大きい着用者、および、脚回り寸法が標準より小さい着用者にも対応できるようにするための調整代となる。
【００２２】
図２は、テープ型使い捨ておむつの展開状態を示す平面図である。おむつ１０において、吸収性本体５０は、液不透過性を有したバックシート１３と、吸収体１４と、液透過性を有したトップシート１５とを備えている。バックシート１３、吸収体１４およびトップシート１５の構造体は、前身頃１０Ｆ、股下部１０Ｃ、および、後身頃１０Ｒに跨る帯状の吸収性本体５０として取り扱われ、さらにカバーシート１６やサイドシート１７が接合される。おむつ１０において、トップシート１５は、着用者の皮膚と接する内側に配置され、バックシート１３は、外側に配置され、外側から、バックシート１３、吸収体１４、トップシート１５の順に重なっている。さらに、バックシート１３の外側には、手触り感を向上させるために、不織布で構成されたカバーシート１６を配置されている。
【００２３】
吸収体１４を形成する材料は、例えば、フラップパルプ、高吸収性ポリマー（ＳＡＰ：Superabsorbent polymer）、親水性シートなどの吸収性材料である。そして、吸収体１４は、一例として、親水性シートで構成されるコアラップによって包まれ、バックシート１３とトップシート１５との間に配置される。吸収体１４の股下部１０Ｃに相当する部分は、両側に脚部の逃げとなる切欠部１４Ａが設けられている。したがって、吸収体１４は、股下部１０Ｃに相当する部分よりも前胴回り構成部１２Ｆや後胴回り構成部１２Ｒに相当する部分が横方向に広がっており、前胴回り構成部１２Ｆや後胴回り構成部１２Ｒに相当する部分では、サイドフラップ１１の一部となっている。また、カバーシート１６の前身頃１０Ｆの部分は、テープ部材２０のファスニング部が締結される被ファスニング領域１８とされる（図１参照）。被ファスニング領域１８は、フックと係合可能な不織布や織布やループ材などで構成されている。
【００２４】
吸収性本体５０には、前後方向に沿う両端部に立体ギャザーが配置されている。立体ギャザーは、トップシート１５に前後方向に沿う両端部に配置されたサイドシート１７と、サイドシート１７の縦方向に沿って配置された弾性部材１４Ｅとを備えている。立体ギャザーは、弾性部材１４Ｅが収縮した際に、サイドシート１７が着用者の皮膚当接方向に向かって立ち上がり、脚回り開口部１０Ｌの周囲に位置する。
【００２５】
サイドフラップ１１は、胴回り部分に位置するカバーシート１６とサイドシート１７とが重ね合わされることにより構成されている。また、サイドフラップ１１の部分には、バックシート１３の一部、トップシート１５の一部、および、吸収体１４の横方向における両端部も一部含まれている。なお、左右一対の脚周り開口部１０Ｌを構成する部分にも、弾性部材１４Ｌが配置されている。
【００２６】
バックシート１３は、吸収体１４より若干大きく形成されている。バックシート１３は、例えば、液不透過性を有したポリエチレン樹脂製のフィルムで形成されている。バックシート１３は、通気性を確保するため、微細孔が多数形成されている。
【００２７】
トップシート１５は、肌と接するシートであり、肌に対して低刺激性の材料で形成されている。例えば、トップシート１５は、織布、不織布、多孔性フィルムなどで形成されている。また、トップシート１５には、例えば、ポリプロピレン、ポリエチレン、ポリエステル、ナイロンのような熱可塑性樹脂の繊維であって親水化処理が施された繊維から構成される不織布が用いられることが好ましい。また、カバーシート１６やサイドシート１７にあっても、例えばトップシート１５と同様な材料で形成されている。
【００２８】
図３に示すように、後身頃１０Ｒにおける左右両端部に位置するサイドフラップ１１は、その横方向の先端部に縦方向に直線状に延びる自由端部１１Ａが構成されている（図４参照）。各自由端部１１Ａからは、外側に延出してテープ部材２０が配設されている。テープ部材２０は、基端部に構成される固定部２１と、固定部２１に連続して設けられる延出部２２と、延出部２２の先端部に設けられるファスニング部２３とを備えている。
【００２９】
固定部２１は、ホットメルト接着剤などの接着手段によって、サイドフラップ１１を構成するカバーシート１６の内面とサイドシート１７の内面とに挟持された状態で固定される。
【００３０】
延出部２２は、固定部２１とファスニング部２３との間の部分であり、自由端部１１Ａより横方向に延出した部分である。ここでは、延出部２２の幅は、固定部２１の幅と同じに設定されている。
【００３１】
図４に示すように、ファスニング部２３は、延出部２２の先端部に備えており、ここでは、延出部２２より幅狭に形成されている。ファスニング部２３の一方の面は、多数のフックが設けられたファスニング面２３Ａである。ファスニング面２３Ａは、長さ方向における先端部と延出部２２との境界部が、フックが設けられていない非ファスニング領域２３Ｂとなっており、非ファスニング領域２３Ｂの間が多数のフックが設けられたファスニング領域２３Ｃとなっている。特に、ファスニング面２３Ａの先端側に位置する非ファスニング領域２３Ｂは、延出部２２に対して非接着となり、かつ、自由端部を構成するので、当該箇所を摘みやすくすることができる。また、延出部２２およびファスニング部２３において、他方の面（外面）は、ファスニング領域２３Ｃが締結可能なテープ状の被ファスニング領域２３Ｄとして構成されている。被ファスニング領域２３Ｄもまた、フックと係合可能な不織布や織布やループ材などで構成されている。
【００３２】
図３に示すように、延出部２２とファスニング部２３との境界部は、ファスニング部２３を延出部２２に重ねるように折り曲げるファスニング用折り目２４である。ファスニング部２３は、ファスニング面２３Ａが延出部２２を向くようにファスニング用折り目２４に沿って横方向の内側に向かって折り曲げられ、延出部２２に対してフックが係合することで剥離可能に仮止めされる。これにより、ファスニング部２３は、延出部２２に対して折り曲げられた状態で仮止めされ、折曲部分に摘み部２５が構成される。ここでの仮止めには、さらに接着剤を塗布してもよい。また、延出部２２が、フックが締結不能な材料で形成されているときには、接着剤などを使用して仮止めされる。延出部２２の長さは、ファスニング部２３の長さより長く、ファスニング部２３が延出部２２に折り返され仮止めされたとき、ファスニング部２３の先端部がサイドフラップ１１の自由端部１１Ａと重ならないように設定されている。
【００３３】
次に、以上のように構成されたおむつ１０の製造方法について説明する。図５はサイドフラップ１１からテープ部材２０に亘る部分を示す。以上のように構成されたテープ部材２０は、ファスニング部２３が延出部２２に対して折り返され仮止めされた状態で製造ラインに部品供給される。そして、テープ部材２０は、固定部２１をカバーシート１６とサイドシート１７の間に挟み込んで接着剤などの接着手段によってサイドフラップ１１に固定される。
【００３４】
図６は、サイドフラップ１１の自由端部１１Ａの部分で延出部２２の根元が折り返された状態を示す。すなわち、テープ部材２０は、延出部２２の根元がサイドフラップ１１の自由端部１１Ａに沿うように折り返される。すなわち、延出部２２は、固定部２１と延出部２２との境界部分において、テープ折り目２６を付けて横方向内側に折り返される。テープ折り目２６は、自由端部１１Ａを目印などに利用して延出部２２の根元に付けられる。これにより、摘み部２５となる部分であって延出部２２に対して折り返されたファスニング部２３は、サイドフラップ１１の内面（トップシート１５およびサイドシート１７側の面）の上に重ねられる。摘み部２５は、テープ部材２０やカバーシート１６やサイドシート１７やトップシート１５などの他の領域と異なる色となるように着色されることで、作業者から見て目立つようにすることができる。延出部２２の自由端部１１Ａに沿う根元には、ホットメルト接着剤などの接着剤３１が塗布されて自由端部１１Ａに近い第１折返部２９に対して剥離可能に仮止めされる。これにより、延出部２２は、サイドフラップ１１に対して使用者がテープ部材２０を展開するまではサイドフラップ１１に対して接着された状態が継続される。
【００３５】
ところで、サイドフラップ１１は、自由端部１１Ａに近い側から横方向に対して直交する縦方向に沿った第１折り目２７と第２折り目２８とが付けられ折り畳まれる。自由端部１１Ａと第１折り目２７との間は第１折返部２９となり、第１折返部２９の自由端部１１Ａに沿う位置は延出部２２が仮止めされる位置である。第１折り目２７と第２折り目２８との間は、第２折返部３０となる（図５参照）。図７は、サイドフラップ１１を第１折り目２７と第２折り目２８で折り返し逆Ｚ字形状に折り畳む途中の状態を示している。
【００３６】
第２折返部３０は、自由端部１１Ａから第１折り目２７より離れた第２折り目２８を付けて、肌と接する表面となるトップシート１５またはサイドシート１７の上に重なるように横方向内側に向けて折り返される。また、第１折返部２９は、第１折り目２７を付けて、第２折返部３０の上に重なるように横方向外側に向けて折り返される。第２折返部３０は、下側に隣接するトップシート１５またはサイドシート１７に対して仮止めされておらず、第１折返部２９も、下側に隣接する第２折返部３０に対して仮止めされておらず、サイドフラップ１１を展開する際の負荷とならないようにしている。一例として、図７では、第２折り目２８の位置を、サイドフラップ１１において、吸収体１４が存在する領域に設定している。一例として、両側のサイドフラップ１１に設けられる第２折り目２８の位置は、吸収体１４における切欠部１４Ａの最深部を縦方向に延長した線の位置とほぼ同じである（図５中２８´参照）。
【００３７】
図８は、サイドフラップ１１を第１折り目２７と第２折り目２８で折り返し逆Ｚ字状に折り畳んだ状態を示している。サイドフラップ１１が以上のようなつづら折りによって完全に折り畳まれた状態では、延出部２２が自由端部１１Ａから横方向内側に向けて延在し、摘み部２５の先端部が横方向内側に位置する第１折り目２７より横方向の内側に向けて延出している。これにより、摘み部２５は、その下に折り畳まれたサイドフラップ１１の第１折返部２９と第２折返部３０とが存在することによって、サイドシート１７から若干離間し、指で摘みやすい状態となる。
なお、横方向の反対側に配置されるサイドフラップ１１は、Ｚ字形状に折り畳まれることになる。
【００３８】
図９は、サイドフラップ１１およびテープ部材２０が折り畳まれた状態であって、前身頃１０Ｆと後身頃１０Ｒとが股下部１０Ｃに対して展開されたおむつ１０を、トップシート１５の側から見た平面図である。おむつ１０は、さらに折り畳まれた状態で重ねられた状態で可撓性を有する収納袋に収納される。この場合、前身頃１０Ｆと股下部１０Ｃとの境界を前折れ目３２とし、股下部１０Ｃと後身頃１０Ｒとの境界を後折れ目３３として折り畳まれる。図１０に、おむつ１０が三つ折りされた状態を示す。なお、おむつ１０は、縦方向に二つ折りや四つ折りであってもよい。
【００３９】
おむつ１０を使用するときには、図１０に示す三つ折りの状態から図９に示す股下部１０Ｃに対して前身頃１０Ｆと後身頃１０Ｒとを開いた状態とされる。そして、着用者の臀部を持ち上げ、トップシート１５を上側にして、後身頃１０Ｒを臀部の下側に敷き、着用者の股下に股下部１０Ｃをあてがい、前身頃を着用者の腹部に位置させる。その後、テープ部材２０が展開され、ファスニング面２３Ａのファスニング領域２３Ｃが前身頃１０Ｆの被ファスニング領域１８やテープ状の被ファスニング領域２３Ｄに締結され、前身頃１０Ｆと後身頃１０Ｒとが結合される。
【００４０】
サイドフラップ１１およびテープ部材２０を展開するには、摘み部２５を指などで摘んで、横方向外側に向かって引っ張る。すると、サイドフラップ１１は、トップシート１５またはサイドシート１７から第２折返部３０が離れ、第１折返部２９が第２折返部３０から離れるようにして展開される。さらに、テープ部材２０は、摘み部２５が第１折返部２９から離れ、摘み部２５は、横方向外側を向いた状態になる。ここで、摘み部２５は、テープ部材２０やカバーシート１６やサイドシート１７やトップシート１５などの他の領域と異なる色に着色されているので、指で摘む際に容易に識別できる。この間、ファスニング部２３のファスニング面２３Ａは、延出部２２に仮止めされているので、多数のフックで粗面となっているファスニング領域２３Ｃを含むファスニング面２３Ａが着用者の肌に触れることはない。そして、最後に、ファスニング部２３が延出部２２から剥がされ、ファスニング領域２３Ｃは、前身頃１０Ｆのカバーシート１６で構成された外装面に構成された被ファスニング領域１８に締結される。テープ部材２０は、横方向左右両端部に位置するサイドフラップ１１にそれぞれ縦方向に２つ並んで設けられている。１つのテープ部材２０のファスニング面２３Ａは、前身頃１０Ｆの被ファスニング領域１８だけでなく、他のテープ部材２０のファスニング部２３に設けられたテープ状の被ファスニング領域２３Ｄにも締結することができる（図１参照）。
【００４１】
以上、上記おむつ１０によれば以下に列挙する作用効果を得ることができる。
（１）サイドフラップ１１が完全に折り畳まれた状態では、延出部２２が自由端部１１Ａから横方向の内側に向けて延在し、摘み部２５の先端部が横方向内側に位置する第１折り目２７より横方向の内側に向けて延出している。これにより、摘み部２５は、その下に折り畳まれたサイドフラップ１１の第１折返部２９と第２折返部３０とが存在することによって、サイドシート１７から離間し、指で摘みやすくなり、サイドフラップ１１およびテープ部材２０を展開する作業時間を短縮することができる。
【００４２】
（２）おむつ１０は、摘み部２５を横方向外側に向かって引っ張る動作だけでサイドフラップ１１およびテープ部材２０を展開することができ、サイドフラップ１１およびテープ部材２０を展開する工数を減らすことができる。摘み部２５は、他の領域と異なる色となるように着色されることで、作業者から見て目立つようにすることができる。
【００４３】
（３）サイドフラップ１１およびテープ部材２０を展開する間、ファスニング部２３のファスニング面２３Ａは、延出部２２に仮止めされているので、ファスニング面２３Ａが着用者の肌に触れることを抑制することができる。
【００４４】
（４）延出部２２の自由端部１１Ａに沿う根元は、ホットメルト接着剤などが塗布されて自由端部１１Ａに対して仮止めされている。したがって、製造途中において、サイドフラップ１１を折り畳む際に、サイドフラップ１１に対してテープ部材２０がばたつくことを抑制でき、これにより、生産効率を向上することができる。
【００４５】
（５）第２折返部３０は、下側に隣接するトップシート１５またはサイドシート１７に対して仮止めされておらず、第１折返部２９も、下側に隣接する第２折返部３０に対して仮止めされていない。したがって、サイドフラップ１１の展開作業を行うときの力が小さくて済む。
（６）おむつ１０の横方向を、吸収体１４が介在した第２折り目２８に沿って折り畳むことで、吸収性物品を小さく折り畳むことができる。
【００４６】
〔テープ型使い捨ておむつの製造方法の説明〕
次に、以上のようなおむつ１０の製造方法について説明する。
図１１（ａ）に示すように、製造ラインには、搬送シート４０が矢印Ｄ方向に搬送される。搬送シート４０は、吸収体１４をバックシート１３とトップシート１５とで挟み込んだ吸収性本体５０を、カバーシート１６の連続体とサイドシート１７の連続体とで挟み込んで構成された構造体である。吸収性本体５０は、長手方向を搬送方向である矢印Ｄ方向にして、カバーシート１６の連続体とサイドシート１７の連続体との間に配置されている。また、バックシート１３は、カバーシート１６の連続体側に位置され、カバーシート１６の連続体は、バックシート１３の全体を覆うように配置される。トップシート１５は、サイドシート１７と接するように位置され、サイドシート１７の連続体は、吸収性本体５０の長手方向に沿った両側縁部に配置される。カバーシート１６の連続体とサイドシート１７の連続体の搬送方向と平行な両側縁部は、サイドフラップ１１を構成するサイドフラップ部分４１となる。サイドフラップ部分４１において、カバーシート１６の連続体とサイドシート１７の連続体とは、間にテープ部材２０が配置された状態で、ホットメルト接着剤などの接着手段によって接着される。具体的に、テープ部材２０は、ファスニング部２３が延出部２２に折り返され仮止めされた状態で固定部２１がカバーシート１６の連続体とサイドシート１７の連続体との間に挟み込まれ固定されている（図５参照）。
【００４７】
以上のように構成された搬送シート４０は、矢印Ｄ方向に搬送され、テープ部材２０の延出部２２が、固定部２１と延出部２２との境界部分において、テープ折り目２６を付けて横方向内側に折り返される（図６参照）。そして、延出部２２の自由端部１１Ａに沿う根元は、ホットメルト接着剤などが塗布されて自由端部１１Ａに対して仮止めされる。そして、搬送シート４０は、サイドフラップ部分４１とテープ部材２０とが折り畳まれる。
【００４８】
このような搬送シート４０を搬送する製造装置は、搬送シート４０における一方の側縁部を含むサイドフラップ部分４１をＺ字形状に折り畳み、他方の側縁部を含むサイドフラップ部分４１を逆Ｚ字形状に折り畳む折り畳み機構を備えている。図１１（ｂ）に示すように、折り畳み機構は、搬送シート４０のサイドフラップ部分４１を起き上がらせるローラ４２と、サイドフラップ部分４１を折り畳むガイドをするガイド板４３とを備えている。ガイド板４３は、ローラ４２の下流側であって、各サイドフラップ部分４１に対応して搬送方向に平行な方向に延びるように配置される。そして、ガイド板４３は、起き上がったサイドフラップ部分４１の高さ方向中程に当接し、上述した第１折り目２７に相当する折り目を設ける。これにより、起き上がったサイドフラップ部分４１は、つづら折りされることで、Ｚ字形状または逆Ｚ字形状となる。
【００４９】
この後、起き上がったサイドフラップ部分４１は、一対のローラによって挟まれることによって、第１折り目２７と第２折り目２８に対応する折り目が設けられることになる。これにより、延出部２２を自由端部１１Ａから横方向の内側に向けて延在させ、摘み部２５の先端部をサイドフラップ部分４１の横方向の内側に位置する折り目よりさらに横方向内側に向けて突出させることができる。この後、搬送シート４０は、カッタなどの切断手段によって、切断線４４で切断され、１つ分のおむつに切断される。そして、おむつ１０は、股下部１０Ｃに対して前身頃１０Ｆと後身頃１０Ｒとを重ねた三つ折りされた状態にされ、その後、積層されて可撓性を有する収納袋に収納される。
【００５０】
以上、上記おむつ１０の製造方法によれば以下に列挙する作用効果を得ることができる。
（７）搬送シート４０の走行路にローラ４２を配置することで、搬送シート４０の走行方向に対して直交する横方向における中央部を押圧し、その両側のサイドフラップ部分４１を起き上がらせ、連続して、ガイド板４３によって、折り目を設けることができる。これにより、一連の工程で、サイドフラップ部分をつづら折りし、摘み部２５の先端部をサイドフラップ部分４１の横方向の内側に位置する折り目よりさらに横方向内側に向けて突出させることができる。このような製造工程によって、生産効率の向上を図ることができる。
【００５１】
なお、上記実施形態は以下のように適宜変更して実施することもできる。
・図７では、第２折り目２８の位置を、サイドフラップ１１において、吸収体１４が存在する領域に設定しているが、吸収体１４の側縁に沿う位置、すなわち吸収体１４を折らなくて済む位置（図５中２８´の位置）に設定してもよい。
【００５２】
・第２折返部３０は、下側に隣接するトップシート１５またはサイドシート１７に対するズレを予防するのであれば、ホットメルト接着剤などの接着剤によって、トップシート１５またはサイドシート１７に対して仮止めしてもよい。
・第１折返部２９は、下側に隣接する第２折返部３０に対するズレを予防するのであれば、第２折返部３０に対して仮止めしてもよい。
【００５３】
・サイドフラップ１１に対してテープ部材２０の折り畳み位置の多少のズレが問題とならないのであれば、延出部２２の自由端部１１Ａに沿う根元は、サイドフラップ１１の自由端部１１Ａに対して仮止めされていなくてもよい。また、延出部２２は、全体をサイドフラップ１１に接着して仮止めしてもよい。
【００５４】
・サイドフラップ１１におけるつづら折りの折の回数は、延出部２２を自由端部１１Ａから横方向の内側に向けて延在させ、かつ、摘み部２５の先端部がサイドフラップ１１の横方向の内側に位置する第１折り目２７よりさらに内側に向けて突出させることができる回数であれば特に限定されるものではない。
【００５５】
・テープ部材２０は、後身頃１０Ｒのサイドフラップ１１ではなく、前身頃１０Ｆのサイドフラップ１１に固定するようにしてもよい。この場合、ファスニング面２３Ａが締結される被ファスニング領域１８は、後身頃１０Ｒのカバーシート１６に設けられることになる。
【００５６】
・テープ部材２０の固定部２１は、カバーシート１６とサイドシート１７とで挟むのではなく、カバーシート１６の外側の外装面に接着剤などの接着手段で固定してもよいし、サイドシート１７のトップシート１５と同じ側の面に接着剤などの接着手段で固定してもよい。
【００５７】
・サイドフラップ１１は、カバーシート１６とサイドシート１７を重ねた構成に限定されるものではない。例えば、帯形状を有する吸収体１４の縦方向の両端部に、吸収体１４の横方向を長手方向とした外装体を接着して、一方の外装体で前身頃を構成し他方の外装体で後身頃を構成してもよい。この場合、外装体の横方向の両端部がサイドフラップとなり、外装体を構成する２枚のシートでテープ部材２０の固定部２１を挟んで固定することになる。
【００５８】
・テープ部材２０の構成は、上述の例に限定されるものではない。例えば、図１２（ａ）に示すように、固定部２１を１つにし、１つの固定部から複数、例えば２つの延出部２２とファスニング部２３を設けるようにしてもよい。また、図１２（ｂ）に示すように、固定部２１と延出部２２を１つにし、延出部２２から複数、例えば２つのファスニング部２３を設けるようにしてもよい。
【００５９】
さらに、図１２（ｃ）に示すように、サイドフラップ１１の自由端部１１Ａに対して突出するように複数分、例えば２つ分の延出部２２とファスニング部２３を設け、自由端部１１Ａに対して垂直な方向に延びるミシン目４５を設け、使用時に、ミシン目４５に沿って延出部２２とファスニング部２３を２つに分けるようにしてもよい。例えば、３つの延出部２２とファスニング部２３を設ける場合は、自由端部１１Ａに対して垂直な方向に延びる２本のミシン目４５を設けることになる。
【００６０】
・自由端部１１Ａと延出部２２の根本に位置するテープ折り目２６は、自由端部１１Ａに沿っていなくてもよい。例えば、テープ折り目２６は、自由端部１１Ａから離れていてもよい。
【００６１】
・ファスニング領域２３Ｃは、メカニカルな多数のフックを設けるのではなく、粘着テープを設けた粘着部としてもよい。この場合、テープ状の被ファスニング領域２３Ｄや被ファスニング領域１８は、粘着テープが貼り付け可能な材料で形成される。
【００６２】
・摘み部２５は、テープ部材２０やカバーシート１６やサイドシート１７やトップシート１５などの他の領域と同色でもよいが、異なる色とすることで、作業者から見て目立つようにすることができる。
【００６３】
・また、摘み部２５は、テープ部材２０やカバーシート１６やサイドシート１７やトップシート１５などの他の領域と異なる色にその全体を着色する場合に限らず、図８の状態において、第１折り目２７よりも横方向の内側に向けて延出する部分が他の領域と異なる色に着色してもよい。これによれば、サイドフラップ１１を展開する際に指でつまむ際に容易に摘み部２５を識別できる。
【００６４】
・また、摘み部２５は、テープ部材２０やカバーシート１６やサイドシート１７やトップシート１５などの他の領域に対し、異なる色に着色する場合に限らず、肌触りを変える等して識別可能な構成としてもよい。
・おむつ１０としては、乳幼児用おむつであってもよい。また、ペット用おむつであってもよい。
【符号の説明】
【００６５】
１０…テープ型使い捨ておむつ、１０Ａ…胴回り開口部、１０Ｃ…股下部、１０Ｆ…前身頃、１０Ｌ…脚周り開口部、１０Ｒ…後身頃、１０Ｗ…胴回り部、１１…サイドフラップ、１１Ａ…自由端部、１２Ｆ…前胴回り構成部、１２Ｒ…後胴回り構成部、１３…バックシート、１４…吸収体、１４Ａ…切欠部、１４Ｅ…弾性部材、１４Ｌ…弾性部材、１５…トップシート、１６…カバーシート、１７…サイドシート、１８…被ファスニング領域、２０…テープ部材、２１…固定部、２２…延出部、２３…ファスニング部、２３Ａ…ファスニング面、２３Ｂ…非ファスニング領域、２３Ｃ…ファスニング領域、２３Ｄ…テープ状の被ファスニング領域、２４…ファスニング用折り目、２５…摘み部、２６…テープ折り目、２７…第１折り目、２８…第２折り目、２９…第１折返部、３０…第２折返部、３１…接着剤、３２…前折れ目、３３…後折れ目、４０…搬送シート、４１…サイドフラップ部分、４２…ローラ、４３…ガイド板、４４…切断線、４５…ミシン目、５０…吸収性本体。
【図１】
2018051140.tif 000003
【図２】
2018051140.tif 000004
【図３】
2018051140.tif 000005
【図４】
2018051140.tif 000006
【図５】
2018051140.tif 000007
【図６】
2018051140.tif 000008
【図７】
2018051140.tif 000009
【図８】
2018051140.tif 000010
【図９】
2018051140.tif 000011
【図１０】
2018051140.tif 000012
【図１１】
2018051140.tif 000013
【図１２】
2018051140.tif 000014